(57)【要約】【課題】表示装置と一体にすることができ、また、表示装置に後から厳密な位置合わせをすることなく取付けることもでき、拡大観察してもブラックマトリックスを目立たなくすることができる画素拡大シートと、この画素拡大シートを用いる、表示装置、ゴーグル型表示装置を提供する。【解決手段】画素拡大シート１０は、光透過性を有する材料によりシート状に構成された高屈折率部１２と、高屈折率部１２よりも屈折率の小さな低屈折率部１３と、高屈折率部１２と同じ材料により構成されて高屈折率部から突出している凸部１２ａとを備え、凸部１２ａは１つの画素１０１に対して少なくとも１つが画素１０１と重なることができる間隔で配置されている。【選択図】図３
2018017928.tif 000002
【特許請求の範囲】
【請求項１】
表示装置の画素と観察者との間に配置されて用いられ、画素を拡大する画素拡大シートであって、
光透過性を有する材料によりシート状に構成された高屈折率部と、
前記高屈折率部よりも屈折率の小さな低屈折率部と、
前記高屈折率部と同じ材料により構成されて前記高屈折率部から突出している凸部と、前記高屈折率部に窪んで又は貫通して構成されている凹部との少なくとも一方を複数備え、
前記凸部又は前記凹部は、１つの画素に対して少なくとも１つが画素と重なることができる間隔で配置されている画素拡大シート。
【請求項２】
請求項１に記載の画素拡大シートにおいて、
前記凸部又は前記凹部のシート面方向から見たときに前記凸部又は前記凹部の寸法が最大となる方向の寸法は、重ねられる表示装置を同方向から見たときに画素の寸法が最大となる方向の寸法の１／２未満であること、
を特徴とする画素拡大シート。
【請求項３】
請求項１に記載の画素拡大シートにおいて、
前記凸部又は前記凹部のシート面方向から見た大きさは、重ねられる表示装置の１画素の面積の１／４未満の面積であること、
を特徴とする画素拡大シート。
【請求項４】
請求項１から請求項３までのいずれか１項に記載の画素拡大シートにおいて、
前記低屈折率部は、前記高屈折率部と接している空気であること、
を特徴とする画素拡大シート。
【請求項５】
請求項１から請求項３までのいずれか１項に記載の画素拡大シートにおいて、
前記低屈折率部は、前記高屈折率部に積層して構成された樹脂であること、
を特徴とする画素拡大シート。
【請求項６】
請求項１から請求項５までのいずれか１項に記載の画素拡大シートにおいて、
透明粘着層を備えること、
を特徴とする画素拡大シート。
【請求項７】
請求項１から請求項５までのいずれか１項に記載の画素拡大シートを画素よりも観察側に配置した表示装置。
【請求項８】
表示装置と、
前記表示装置を拡大するレンズ部と、
前記表示装置の画素と前記レンズ部との間に配置される請求項１から請求項５までのいずれか１項に記載の画素拡大シートと、
を備えたゴーグル型表示装置。
【請求項９】
表示装置が着脱自在な本体部と、
前記本体部に設けられ、前記本体部に装着された前記表示装置の表示面を拡大するレンズ部と、
前記本体部に装着された前記表示装置と前記レンズ部との間に配置される請求項１から請求項５までのいずれか１項に記載の画素拡大シートと、
を備えたゴーグル型表示装置。
【発明の詳細な説明】
【技術分野】
【０００１】
本発明は、画素拡大シート、表示装置、ゴーグル型表示装置に関するものである。
【背景技術】
【０００２】
液晶表示装置や有機ＥＬ（エレクトロルミネッセンス）表示装置では、例えば、赤（Ｒ），緑（Ｇ），青（Ｂ）それぞれの画素を組み合わせて１つの絵素を構成している。そして、これら各画素の間には、ブラックマトリックスと呼ばれる絵素としては機能しない領域が存在している。通常は、表示装置からある程度離れた位置から観察するので、このブラックマトリックスが利用者によって視認されることは少ない。
【０００３】
一方、近年、ＶＲ（Ｖｉｒｔｕａｌ  Ｒｅａｌｉｔｙ）ゴーグルと呼ばれる、利用者の頭部に装着、又は、手で持ってのぞき込むような形態で利用されるゴーグル型表示装置が注目されている。ゴーグル型表示装置では、表示装置の表示面をレンズにより拡大して視認することにより、本来は小さな表示面であっても、より大きな画面を観察しているかのように利用者が感じることができる。また、表示面の表示領域を左右に分けて、視差に対応した画像を左右それぞれの表示領域に表示することにより、立体視を可能とすることもできる。
【０００４】
しかし、ゴーグル型表示装置では、表示面を拡大することになるので、通常の表示装置では視認されることがなかったブラックマトリックスが視認されてしまう場合があった。ブラックマトリックスが視認されてしまうと、各画素が独立した点として見えてしまい、観察される画像の質が低下してしまう。
【０００５】
これに対する解決方法として、例えば、拡散ビーズを含む拡散板や、凹凸形状が形成された拡散板を用いて、ブラックマトリックスを目立たなくする手法が考えられる。しかし、拡散板を用いると、本来必要な画素からの光自体も拡散されてしまい、表示される画像がぼやけてしまう。
【０００６】
また、別の解決方法として、例えば、各画素に対応した位置に微細なレンズを配置したレンズアレイを配置し、画素からの光を適切に拡大させることができれば、ブラックマトリックスを目立たなくすることができる。しかし、レンズアレイを用いる場合には、画素と各微小レンズとの位置合わせを厳密に行う必要があり、製造が困難である。また、レンズアレイを用いる場合には、位置合わせを厳密にする必要があることから、表示装置と一体化させる形態にする他なく、従来の表示装置を着脱自在に装着して利用する形態のゴーグル型表示装置には適用することができなかった。
【０００７】
また、特許文献１には、ブラックマトリックスを目立たなくするための構成ではないが、異方性散乱層を用いて、正面方向の輝度低下の抑制と視野角特性の向上を両立させ、表示画質を向上させる技術が開示されている。
【先行技術文献】
【特許文献】
【０００８】
【特許文献１】特開２００９−２６５４０６号公報
【発明の概要】
【発明が解決しようとする課題】
【０００９】
しかし、特許文献１に開示されているような異方性散乱層であっても、光を散乱させていることには変わりなく、程度の差はあっても、表示される画像がぼやけてしまうことに、変わりがない。したがって、特許文献１のような特殊な散乱層を用いたとしても、ブラックマトリックスをぼやかす効果が得られるが、表示される画像がぼやけてしまい、良好な結果は得られなかった。
【００１０】
本発明の課題は、表示装置と一体にすることができ、また、表示装置に後から厳密な位置合わせをすることなく取付けることもでき、拡大観察してもブラックマトリックスを目立たなくすることができる画素拡大シートと、この画素拡大シートを用いる、表示装置、ゴーグル型表示装置を提供することである。
【課題を解決するための手段】
【００１１】
本発明は、以下のような解決手段により、前記課題を解決する。なお、理解を容易にするために、本発明の実施形態に対応する符号を付して説明するが、これに限定されるものではない。
【００１２】
第１の発明は、表示装置（１００）の画素（１０１，１０１Ｂ，１０１Ｇ，１０１Ｒ）と観察者との間に配置されて用いられ、画素（１０１，１０１Ｂ，１０１Ｇ，１０１Ｒ）を拡大する画素拡大シート（１０，２０，３０）であって、光透過性を有する材料によりシート状に構成された高屈折率部（１２）と、前記高屈折率部（１２）よりも屈折率の小さな低屈折率部（１３，１４）と、前記高屈折率部（１２）と同じ材料により構成されて前記高屈折率部（１２）から突出している凸部（１２ａ）と、前記高屈折率部（１２）に窪んで又は貫通して構成されている凹部（１２ｂ）との少なくとも一方を複数備え、前記凸部（１２ａ）又は前記凹部（１２ｂ）は、１つの画素（１０１，１０１Ｂ，１０１Ｇ，１０１Ｒ）に対して少なくとも１つが画素（１０１，１０１Ｂ，１０１Ｇ，１０１Ｒ）と重なることができる間隔で配置されている画素拡大シート（１０，２０，３０）である。
【００１３】
第２の発明は、第１の発明に記載の画素拡大シート（１０，２０，３０）において、前記凸部（１２ａ）又は前記凹部（１２ｂ）のシート面方向から見たときに前記凸部（１２ａ）又は前記凹部（１２ｂ）の寸法が最大となる方向の寸法は、重ねられる表示装置（１００）を同方向から見たときに画素（１０１，１０１Ｂ，１０１Ｇ，１０１Ｒ）の寸法が最大となる方向の寸法の１／２未満であること、を特徴とする画素拡大シート（１０，２０，３０）である。
【００１４】
第３の発明は、第１の発明に記載の画素拡大シート（１０，２０，３０）において、前記凸部（１２ａ）又は前記凹部（１２ｂ）のシート面方向から見た大きさは、重ねられる表示装置（１００）の１画素（１０１，１０１Ｂ，１０１Ｇ，１０１Ｒ）の面積の１／４未満の面積であること、を特徴とする画素拡大シート（１０，２０，３０）である。
【００１５】
第４の発明は、第１の発明から第３の発明までのいずれかに記載の画素拡大シート（１０，３０）において、前記低屈折率部（１３）は、前記高屈折率部（１２）と接している空気であること、を特徴とする画素拡大シート（１０，３０）である。
【００１６】
第５の発明は、第１の発明から第３の発明までのいずれかに記載の画素拡大シート（２０）において、前記低屈折率部（１４）は、前記高屈折率部（１２）に積層して構成された樹脂であること、を特徴とする画素拡大シート（２０）である。
【００１７】
第６の発明は、第１の発明から第５の発明までのいずれかに記載の画素拡大シート（１０，２０，３０）において、透明粘着層を備えること、を特徴とする画素拡大シート（１０，２０，３０）である。
【００１８】
第７の発明は、第１の発明から第５の発明までのいずれかに記載の画素拡大シート（１０，２０，３０）を画素（１０１，１０１Ｂ，１０１Ｇ，１０１Ｒ）よりも観察側に配置した表示装置（１００）である。
【００１９】
第８の発明は、表示装置（１００）と、前記表示装置を拡大するレンズ部（２０２）と、前記表示装置（１００）の画素（１０１，１０１Ｂ，１０１Ｇ，１０１Ｒ）と前記レンズ部（２０２）との間に配置される第１の発明から第５の発明までのいずれかに記載の画素拡大シート（１０，２０，３０）と、を備えたゴーグル型表示装置（２００）である。
【００２０】
第９の発明は、表示装置（１００）が着脱自在な本体部（２０１）と、前記本体部（２０１）に設けられ、前記本体部（２０１）に装着された前記表示装置（１００）の表示面を拡大するレンズ（２０２）部と、前記本体部（２０１）に装着された前記表示装置（１００）と前記レンズ部（２０２）との間に配置される第１の発明から第５の発明までのいずれか１項に記載の画素拡大シート（１０，２０，３０）と、を備えたゴーグル型表示装置（２００）である。
【発明の効果】
【００２１】
本発明によれば、表示装置と一体にすることができ、また、表示装置に後から厳密な位置合わせをすることなく取付けることもでき、拡大観察してもブラックマトリックスを目立たなくすることができる画素拡大シートと、この画素拡大シートを用いる、表示装置、ゴーグル型表示装置を提供することができる。
【図面の簡単な説明】
【００２２】
【図１】本発明による画素拡大シート１０の第１実施形態を部分的に拡大して示した図である。
【図２】画素拡大シート１０をシート面に垂直な面で切断した断面図である。
【図３】画素拡大シートの使用状態を示す断面図である。
【図４】画素拡大シートの使用状態をシート面に対して垂直な方向からみた図である。
【図５】画素拡大シート１０を重ねていない場合の表示装置１００の表示面の見え方を拡大して模式的に示した図である。
【図６】画素拡大シート１０を重ねて用いた場合の表示装置１００の表示面の見え方を拡大して模式的に示した図である。
【図７】凸部１２ａの太さと間隔とを変化させて、画素からの光の広がり方を検証した結果を示す図である。
【図８】本発明による画素拡大シート２０の第２実施形態を示す断面図である。
【図９】本発明による画素拡大シート３０の第３実施形態を示す断面図である。
【図１０】本発明のゴーグル型表示装置２００の使用状態を、模式的な断面として示した図である。
【発明を実施するための形態】
【００２３】
以下、本発明を実施するための最良の形態について図面等を参照して説明する。
【００２４】
（第１実施形態）
図１は、本発明による画素拡大シート１０の第１実施形態を部分的に拡大して示した図である。
図２は、画素拡大シート１０をシート面に垂直な面で切断した断面図である。
なお、図１及び図２を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面に関しても同様であるとする。
また、この明細書における画素拡大とは、画素そのものを拡大するのではなく、画素からの光を拡大することであるが、これを単に「画素拡大」又は「画素を拡大」として記載する。
【００２５】
本実施形態の画素拡大シート１０は、基材１１と、高屈折率部１２とを備えている。
基材１１は、例えば、ＰＥＴ等の透光性を備えた素材により構成されている。
高屈折率部１２は、基材１１上に、光透過性を有する紫外線硬化型樹脂を用いて賦型することによりシート状に構成されており、本実施形態では、屈折率が１．５１となっている。
紫外線硬化型樹脂としては、例えば、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン（メタ）アクリレート等の（メタ）アクリレート系化合物、不飽和ポリエステル系化合物、メラミン系化合物、エポキシ系化合物等からなるラジカル重合性プレポリマー、１，６−ヘキサンジオールジ（メタ）アクリレート、トリメチロールプロパントリ（メタ）アクリレート、ジペンタエリスリトールヘキサ（メタ）アクリレート等のラジカル重合性不飽和単量体等の中から選択した１種又は２種以上からなる組成物からなる電離放射線硬化性樹脂を挙げることができる。ここで「（メタ）アクリレート」とは、アクリレート又メタクリレートを意味する。
硬化に用いる電離放射線としては、紫外線、Ｘ線、可視光線等の電磁波、又は電子線、イオン線等の荷電粒子線が用いられる。特に、電離放射線として紫外線を採用する場合、該電離放射線硬化性樹脂は紫外線硬化性樹脂と呼ばれる。
その他、アクリル樹脂、ポリカーボネート樹脂、スチレン樹脂等の熱可塑性樹脂、エポキシ樹脂、熱硬化性ウレタン樹脂、熱硬化性ポリエステル樹脂等の熱可塑性樹脂を用いることもできる。
【００２６】
高屈折率部１２には、基材１１とは反対方向に微小な凸部１２ａが多数配置されている。
本実施形態の凸部１２ａは、四角柱形状で突出している。凸部１２ａは、高屈折率部１２と同じ素材により構成されている。高屈折率部１２の凸部１２ａが設けられている側の空間は、空気層であり、高屈折率部１２よりも屈折率の低い低屈折率部１３となっている。
【００２７】
図３は、画素拡大シートの使用状態を示す断面図である。
図４は、画素拡大シートの使用状態をシート面に対して垂直な方向からみた図である。なお、図４では、画素拡大シート１０の下にある画素を透視した状態で示している。
画素拡大シート１０は、液晶表示装置や有機ＥＬ表示装置等の表示装置１００の表示面側に重ねて配置された状態で使用される。
【００２８】
表示装置１００では、例えば、赤（Ｒ），緑（Ｇ），青（Ｂ）それぞれの画素１０１を組み合わせて１つの絵素を構成している。図４に示した例では、赤の画素１０１Ｒを１つと、緑の画素１０１Ｇを２つと、青の画素１０１Ｂを１つとを組み合わせて１つの絵素を構成している。なお、画素１０１Ｒ，１０１Ｇ，１０１Ｂについて、色を特に指定せずに画素を示す場合に、以下では、単に画素１０１と呼ぶこととする。
【００２９】
ここで、画素拡大シート１０の凸部１２ａは、１つの画素１０１に対して少なくとも１つが画素１０１と重なることができる間隔で配置されている。図４に示すように、画素１０１Ｒ，１０１Ｇ、１０１Ｂのいずれにも、凸部１２ａが１つ以上重なっている。そして、表示装置１００に対して画素拡大シート１０をそのシート面に沿った方向に移動したとしても、画素拡大シート１０の凸部１２ａは、１つの画素１０１に対して少なくとも１つが画素１０１と重なることができる。すなわち、表示装置１００と画素拡大シート１０とをシート面内方向で精密に位置合わせを行わなくても、画素拡大シート１０の凸部１２ａは、１つの画素１０１に対して少なくとも１つが画素１０１と重なることができる。
また、凸部１２ａは、１つの画素１０１に対して少なくとも１つが画素１０１と重なることができる配置となっていれば、図４に例示したように規則正しく配列されていてもよいし、図１に示したようにランダムに配置されていてもよい。
【００３０】
画素拡大シート１０は、画素１０１からの映像光を拡大する作用を備えている。この作用は、凸部１２ａと低屈折率部１３との界面において回折が生じることによるものであり、光の屈折を利用したものではない。したがって、凸部１２ａの形状は、図示したような四角柱に限らず、円柱であってもよいし、三角柱や六角柱等、どのような形状であってもよい。
【００３１】
次に、画素拡大シート１０の作用について、より詳しく説明する。
図５は、画素拡大シート１０を重ねていない場合の表示装置１００の表示面の見え方を拡大して模式的に示した図である。
表示装置１００からは、画素１０１Ｒ，１０１Ｇ、１０１Ｂの各画素から映像光Ｌが出光しており、例えば、図５に示すように各画素１０１よりも大きく観察される。しかし、各画素１０１からの映像光Ｌの間には、大きな幅でブラックマトリックスＢＭが視認されてしまう。
したがって、表示装置１００が後述するゴーグル型表示装置に用いられた場合には、各
画素１０１が独立して視認されてしまい、観察される画質が低下してしまっていた。
【００３２】
図６は、画素拡大シート１０を重ねて用いた場合の表示装置１００の表示面の見え方を拡大して模式的に示した図である。
画素拡大シート１０を重ねたことにより、各画素１０１からの映像光Ｌは、より拡大されて広範囲に広がるので、視認されるブラックマトリックスＢＭの幅を、図５の場合よりも図６のように狭くしたり、完全に視認できないレベルにしたりすることができる。
【００３３】
画素拡大シート１０は、レンズとは異なり、光を回折させて広げている。したがって、画素１０１Ｒ，１０１Ｇ、１０１Ｂの各画素から出光する映像光Ｌについては、拡大させるが、光を発していないブラックマトリックスＢＭについては、拡大することがない。よって、画素拡大シート１０を配置することにより、表示装置１００のブラックマトリックスＢＭを目立たなくしたり、視認されないようにしたりできる。
【００３４】
図７は、凸部１２ａの太さと間隔とを変化させて、画素からの光の広がり方を検証した結果を示す図である。
図７の検証は、コンピュータシミュレーションによって得られた画素からの光の分布から、画素拡大シート１０として利用可能であるか否かを判定したものである。
シミュレーションの条件としては、画素は、１２μｍ×１２μｍの正方形とし、高屈折率部１２の屈折率が１．５、凸部１２ａの高さを０．５μｍとした。また、凸部１２ａの太さは、０．２μｍから５．０μｍまで、凸部１２ａ間の間隔は、０．２μｍから５．３μｍまで変化させた。また、図７の結果は、緑の画素についての結果を示している。なお、図示しないが、赤及び青の画素についてのシミュレーションも同様に行ったが、画素の色による大きな違いはなかった。
【００３５】
図７の結果から、凸部１２ａの太さは、０．２μｍ〜０．８μｍが適切であり、凸部１２ａの間隔は、  ３．０μｍ〜５．３μｍが適切であるといえる。
この数値範囲と、画素のサイズ（１２μｍ×１２μｍ）との比を求めると、凸部１２ａの太さは、画素幅の１．７％〜６．７％が適切であり、凸部１２ａの間隔は、画素幅の２５．０％〜４４．２％が適切であるといえる。
【００３６】
また、凸部１２ａを、１つの画素１０１に対して少なくとも１つが画素１０１と重なることができる間隔で配置させるための寸法上の条件として、凸部１２ａをシート面方向から見たときに凸部１２ａの寸法が最大となる方向の寸法は、重ねられる表示装置を同方向から見たときに画素１０１の寸法が最大となる方向の寸法の１／２未満とすればよい。
また、同様な規定となるが、面積の観点からは、凸部１２ａをシート面方向から見た大きさは、重ねられる表示装置の１画素の面積の１／４未満の面積とすればよい。
【００３７】
また、上記条件下において、凸部１２ａの位置を画素１０１に対して相対的に移動させて、凸部１２ａの位置による見え方への影響を検証したが、凸部１２ａによる拡大作用に、大きな影響は見られなかった。したがって、本実施形態の画素拡大シート１０は、表示装置１００に対して面内方向での位置合わせが不要であり、表示装置１００の表示面と利用者との間に配置すれば、画素拡大効果を得ることができる。
【００３８】
以上説明したように、本実施形態の画素拡大シート１０は、光の回折現象を利用して画素からの光の拡大を行う構成としたので、表示装置１００を拡大して観察したり、表示装置１００に近接して観察したりしても、ブラックマトリックスＢＭを目立たなくしたり、視認できなくしたりできる。また、画素拡大シート１０は、表示装置１００の画素１０１との相対的な位置の影響を受けることなく、画素拡大効果を得られるので、表示装置１００と一体化する場合であっても製造が容易であり、また、表示装置１００に後から厳密な位置合わせをすることなく取付けることもできる。
【００３９】
（第２実施形態）
図８は、本発明による画素拡大シート２０の第２実施形態を示す断面図である。
第２実施形態は、低屈折率部１４を備える他は、第１実施形態の画素拡大シート１０と同様な形態をしている。よって、前述した第１実施形態と同様の機能を果たす部分には、同一の符号を付して、重複する説明を適宜省略する。
第２実施形態の画素拡大シート２０は、凸部１２ａが設けられている側に、樹脂を硬化させて構成した低屈折率部１４を備えている。低屈折率部１４の屈折率は、高屈折率部１２の屈折率よりも低くなっている。具体的には、低屈折率部１４は、シリコン樹脂を硬化させて構成されており、その屈折率は、１．４３である。
【００４０】
以上説明した第２実施形態の画素拡大シート２０は、低屈折率部１４を備えているので、微小な凸部１２ａを保護することができる。
【００４１】
（第３実施形態）
図９は、本発明による画素拡大シート３０の第３実施形態を示す断面図である。
第３実施形態の画素拡大シート３０は、第１実施形態の画素拡大シート１０では凸部１２ａを設けていた位置に、凸部１２ａに代わって凹部１２ｂを設けた形態である。
回折現象は、高屈折率部１２と低屈折率部１３との界面が存在すれば発生するので、そのための形状は、凸部１２ａのような突出した形状に限らず、凹部１２ｂのような窪んだ形状であってもよい。なお、本実施形態では、凹部１２ｂは、凸部１２ａの高さと同じ寸法である０．５μｍの深さの有底の凹部となっている。しかし凹部１２ｂを基材１１に達するまで形成して、凹部１２ｂの底部には高屈折率部１２が存在せず基材１１が露出する形態としてもよい。また、基材１１を備えない画素拡大シートとする場合には、完全に貫通した凹部、すなわち、貫通孔としてもよい。
【００４２】
以上説明した第３実施形態の画素拡大シート３０は、凸部１２ａに代わり凹部１２ｂを備える構成とした。よって、第２実施形態のような保護機能を兼ねた低屈折率部１４を設けなくとも、耐久性を高めることができる。
【００４３】
（第４実施形態）
図１０は、本発明のゴーグル型表示装置２００の使用状態を、模式的な断面として示した図である。
本実施形態のゴーグル型表示装置２００は、本体部２０１とレンズ部２０２と、画素拡大シート１０と、表示装置１００とを備えている。
ゴーグル型表示装置２００の本体部２０１には、利用者の目Ｅが接眼する側から、レンズ部２０２と、画素拡大シート１０と、表示装置１００とがこの順番で並んで配置されている。ここで、画素拡大シート１０は、第１実施形態に示した画素拡大シート１０と同様な形態をしているものとする。
表示装置１００は、このゴーグル型表示装置２００に固定されて内蔵されたものであってもよいし、スマートフォン等を表示装置１００として利用して、これを着脱自在に設けるものであってもよい。スマートフォン等を表示装置１００として利用する場合には、画素拡大シート１０は、表示装置１００の画素１０１の大きさや配列にあわせて、適切に凸部１２ａが配列された専用のものを選択的に配置可能としてもよい。
なお、図示しないが、ゴーグル型表示装置２００は、利用者の頭部に取付けるためのバンド等の装着具を備えていてもよい。
また、画素拡大シート１０に代わり、第２実施形態の画素拡大シート２０や、第３実施形態の画素拡大シート３０を設けてもよい。
【００４４】
以上説明した第４実施形態では、ゴーグル型表示装置２００は、画素拡大シート１０を備えているので、レンズ部２０２により表示装置１００の表示面を拡大して観察しても、ブラックマトリックスＢＭを目立たなくできる、又は、視認されないようにできるので、観察画像の画質を向上できる。
【００４５】
（変形形態）
以上説明した実施形態に限定されることなく、種々の変形や変更が可能であって、それらも本発明の範囲内である。
【００４６】
（１）各実施形態において、液晶表示装置又は有機ＥＬ表示装置に本発明の画像拡大シートを重ねて使用する形態を例に挙げて説明した。これに限らず、例えば、ＬＥＤを１つの画素として用いるＬＥＤ表示装置に本発明の画像拡大シートを重ねて用いてもよい。
【００４７】
（２）各実施形態において、画素拡大シート１０，２０，３０は、基材１１を備えた例を挙げて説明した。これに限らず、画素拡大シートは、基材を備えていない形態としてもよい。
【００４８】
（３）各実施形態において、画素拡大シート１０，２０，３０は、表示装置１００とは別体として配置されている例を挙げて説明した。これに限らず、例えば、表示装置自体に画素拡大シートを内蔵する形態としてもよい。
【００４９】
（４）各実施形態において、画素拡大シート（１０，２０，３０）の一面に、透明粘着層をさらに備えて、表示装置の表示面への貼り付け固定を容易に行うことができるようにしてもよい。
【００５０】
（５）各実施形態において、凸部又は凹部の側壁形状は、テーパー形状であっても良い。凸部の側壁形状をテーパー形状とする場合は、シート側から凸部先端に向かい先細る順テーパー形状が好ましい。また、凹部の側壁形状をテーパー形状とする場合も同様に、凹部形状がすり鉢状の形状になる順テーパー形状が好ましい。
【００５１】
なお、第１実施形態から第３実施形態及び変形形態は、適宜組み合わせて用いることもできるが、詳細な説明は省略する。また、本発明は以上説明した各実施形態によって限定されることはない。
【符号の説明】
【００５２】
１０      画素拡大シート
１１      基材
１２      高屈折率部
１２ａ    凸部
１２ｂ    凹部
１３      低屈折率部
１４      低屈折率部
２０      画素拡大シート
３０      画素拡大シート
１００    表示装置
１０１    画素
１０１Ｂ  画素（青）
１０１Ｇ  画素（緑）
１０１Ｒ  画素（赤）
２００    ゴーグル型表示装置
２０１    本体部
２０２    レンズ部
ＢＭ      ブラックマトリックス
【図１】
2018017928.tif 000003
【図２】
2018017928.tif 000004
【図３】
2018017928.tif 000005
【図４】
2018017928.tif 000006
【図５】
2018017928.tif 000007
【図６】
2018017928.tif 000008
【図７】
2018017928.tif 000009
【図８】
2018017928.tif 000010
【図９】
2018017928.tif 000011
【図１０】
2018017928.tif 000012